(57)【要約】【課題】簡素な構成にて効果的に迷光を除去し得る光ピックアップ装置および光ディスク装置を提供する。【解決手段】ディスクによって反射されたレーザ光のうち、レーザ光軸の周りに設定された４つの光束領域Ａ〜Ｄの光束に対し、それぞれ異なる非点収差作用および進行方向変更作用を付与し、光束領域Ａ〜Ｄの光束を互いに離散させる。光検出器の検出面には、信号光のみが存在する信号光領域が現れる。この領域にセンサを配置する。こうすると、信号光のみをセンサにより受光でき、迷光による検出信号の劣化が抑制される。【選択図】図５
2010272145.tif 000002
【特許請求の範囲】
【請求項１】
記録層を複数有する記録媒体にレーザ光を照射する光ピックアップ装置において、
前記レーザ光を出射する光源と、
前記レーザ光を前記記録媒体上に収束させる対物レンズと、
前記記録媒体にて反射された前記レーザ光が入射するとともに、前記レーザ光の光軸周りに区分された複数のレンズ領域を備え、各レンズ領域が個別に前記レーザ光に非点収差を導入する非点収差部と、
前記各レンズ領域に入射する前記レーザ光の光束の進行方向を互いに異ならせて前記各光束を離散させる光束離散部と、
前記離散された各光束を受光して検出信号を出力する光検出器と、を備え、
前記レンズ領域は、前記光軸周りに隣り合う他の２つの前記レンズ領域との間の第１および第２の境界のうち、前記第１の境界に平行な方向に前記光束を収束させて第１の焦点距離の位置に焦線を結ばせるとともに、前記第１の境界に垂直な方向に前記光束を収束させて前記第１の焦点距離とは異なる第２の焦点距離の位置に焦線を結ばせるよう構成され、前記各レンズ領域の前記第１の境界は互いに接しないよう設定され、
前記光束離散部は、前記記録媒体中のターゲット記録層に前記レーザ光が合焦している状態にあるとき、前記ターゲット記録層によって反射された前記レーザ光の前記各光束と、前記ターゲット記録層以外の他の記録層によって反射された前記レーザ光の前記各光束とが、前記光検出器の受光面上において互いに重ならないよう設定されている、
ことを特徴とする光ピックアップ装置。
【請求項２】
請求項１に記載の光ピックアップ装置において、
前記非点収差部と前記光束離散部が、一つの光学素子に一体化されている、
ことを特徴とする光ピックアップ装置。
【請求項３】
請求項１または２に記載の光ピックアップ装置において、
前記非点収差部は、４つ以上の前記レンズ領域を有し、
前記光軸周りの前記各レンズ領域の角度が９０度以下になっている、
ことを特徴とする光ピックアップ装置。
【請求項４】
請求項１または２に記載の光ピックアップ装置において、
前記非点収差部は、４つの前記レンズ領域を有し、
前記光軸周りの前記各レンズ領域の角度が９０度になっており、
前記光束離散部は、前記記録媒体中のターゲット記録層に前記レーザ光が合焦している状態にあるとき、前記ターゲット記録層によって反射された前記レーザ光の前記各光束が、前記光検出器の受光面上において、正方形の頂角の位置に位置づけられるよう構成されている、
ことを特徴とする光ピックアップ装置。
【請求項５】
請求項１ないし４の何れか一項に記載の光ピックアップ装置と、
前記光検出器からの出力を処理する演算回路と、を備える、
ことを特徴とする光ディスク装置。
【発明の詳細な説明】
【技術分野】
【０００１】
本発明は、光ピックアップ装置および光ディスク装置に関するものであり、特に、複数の記録層が積層された記録媒体に対してレーザ光を照射する際に用いて好適なものである。
【背景技術】
【０００２】
近年、光ディスクの大容量化に伴い、記録層の多層化が進んでいる。一枚のディスク内に複数の記録層を含めることにより、ディスクのデータ容量を顕著に高めることができる。記録層を積層する場合、これまでは片面２層が一般的であったが、最近では、さらに大容量化を進めるために、片面に３層以上の記録層を配することも検討されている。ここで、記録層の積層数を増加させると、ディスクの大容量化を促進できる。しかし、その一方で、記録層間の間隔が狭くなり、層間クロストークによる信号劣化が増大する。
【０００３】
記録層を多層化すると、記録／再生対象とされる記録層（ターゲット記録層）からの反射光が微弱となる。このため、ターゲット記録層の上下にある記録層から、不要な反射光（迷光）が光検出器に入射すると、検出信号が劣化し、フォーカスサーボおよびトラッキングサーボに悪影響を及ぼす惧れがある。したがって、このように記録層が多数配されている場合には、適正に迷光を除去して、光検出器からの信号を安定化させる必要がある。
【０００４】
以下の特許文献１には、ピンホールを用いて迷光を除去する技術が、特許文献２には、１／２波長板と偏光光学素子を組み合わせることにより迷光を除去する技術が、それぞれ記載されている。
【先行技術文献】
【特許文献】
【０００５】
【特許文献１】特開２００６−２６０６６９号公報
【特許文献２】特開２００６−２５２７１６号公報
【発明の概要】
【発明が解決しようとする課題】
【０００６】
上記特許文献１の技術によれば、ターゲット記録層から反射されたレーザ光（信号光）の収束位置にピンホールを正確に位置づける必要があるため、ピンホールの位置調整作業が困難であるとの課題がある。位置調整作業を容易にするためピンホールのサイズを大きくすると、迷光がピンホールを通過する割合が増加し、迷光による信号劣化を効果的に抑制できなくなる。
【０００７】
また、特許文献２の技術によれば、迷光を除去するために、１／２波長板と偏光光学素子が２つずつ必要である他、さらに、２つのレンズが必要であるため、部品点数とコストが増加し、また、各部材の配置調整が煩雑であるとの課題がある。また、これらの部材を並べて配置するスペースが必要となり、光学系が大型化するとの課題もある。
【０００８】
本発明は、これらの課題を解消するためになされたものであり、簡素な構成にて迷光を除去することができる光ピックアップ装置および光ディスク装置を提供することを目的とする。
【課題を解決するための手段】
【０００９】
本発明の第１の態様は、記録層を複数有する記録媒体にレーザ光を照射する光ピックアップ装置に関する。本態様に係る光ピックアップ装置は、前記レーザ光を出射する光源と、前記レーザ光を前記記録媒体上に収束させる対物レンズと、前記記録媒体にて反射された前記レーザ光が入射するとともに、前記レーザ光の光軸周りに区分された複数のレンズ領域を備え、各レンズ領域が個別に前記レーザ光に非点収差を導入する非点収差部と、前記各レンズ領域に入射する前記レーザ光の光束の進行方向を互いに異ならせて前記各光束を離散させる光束離散部と、前記離散された各光束を受光して検出信号を出力する光検出器とを備える。前記レンズ領域は、前記光軸周りに隣り合う他の２つの前記レンズ領域との間の第１および第２の境界のうち、前記第１の境界に平行な方向に前記光束を収束させて第１の焦点距離の位置に焦線を結ばせるとともに、前記第１の境界に垂直な方向に前記光束を収束させて前記第１の焦点距離とは異なる第２の焦点距離の位置に焦線を結ばせるよう構成されている。ここで、前記各レンズ領域の前記第１の境界は、互いに接しないよう設定されている。さらに、前記光束離散部は、前記記録媒体中のターゲット記録層に前記レーザ光が合焦している状態にあるとき、前記ターゲット記録層によって反射された前記レーザ光の前記各光束と、前記ターゲット記録層以外の他の記録層によって反射された前記レーザ光の前記各光束とが、前記光検出器の受光面上において互いに重ならないよう設定されている。
【００１０】
本発明の第２の態様に係る光ディスク装置は、上記第１の態様に係る光ピックアップ装置と、前記光検出器からの出力を処理する演算回路をさらに備える。
【発明の効果】
【００１１】
本発明によれば、簡素な構成にて迷光を除去することができる光ピックアップ装置および光ディスク装置を提供することができる。
【００１２】
本発明の効果ないし意義は、以下に示す実施の形態の説明により更に明らかとなろう。ただし、以下の実施の形態は、あくまでも、本発明を実施する際の一つの例示であって、本発明は、以下の実施の形態によって何ら制限されるものではない。
【図面の簡単な説明】
【００１３】
【図１】実施形態に係る技術原理（光線の収束状態）を説明する図である。
【図２】実施形態に係る技術原理（光束の分布状態）を説明する図である。
【図３】実施形態に係る技術原理（信号光と迷光の分布状態）を説明する図である。
【図４】実施形態に係る技術原理（信号光と迷光の分布状態）を説明する図である。
【図５】実施形態に係る技術原理（光束の分離方法）を説明する図である。
【図６】実施の形態に係るセンサパターンの配置方法を示す図である。
【図７】実施例に係る光ピックアップ装置の光学系を示す図である。
【図８】実施例に係るアナモレンズの構成例を示す図である。
【図９】記録層が２つの場合の信号光と迷光の分布状態を示す図である。
【図１０】実施例に係るアナモレンズと光検出器の調整方法を示す図である。
【図１１】変更例１に係る光束の分布を説明する図である。
【図１２】変更例１に係るセンサパターンの配置方法を説明する図である。
【図１３】変更例１に係るフォーカスエラー信号を説明する図である。
【図１４】変更例２に係る光束の分布を説明する図である。
【図１５】変更例２に係るセンサパターンの配置方法を説明する図である。
【図１６】変更例２に係るフォーカスエラー信号を説明する図である。
【図１７】実施例の変更例を示す図である。
【発明を実施するための形態】
【００１４】
以下、本発明の実施の形態につき図面を参照して説明する。
【００１５】
＜技術的原理＞
まず、図１ないし図６を参照して、本実施の形態に適用される技術的原理について説明する。
【００１６】
図１は、光線の収束状態を示す図である。同図（ａ）は、ターゲット記録層によって反射されたレーザ光（信号光）、ターゲット記録層よりも深い層によって反射されたレーザ光（迷光１）、ターゲット記録層よりも浅い層によって反射されたレーザ光（迷光２）の収束状態を示す図である。同図（ｂ）は、本原理に用いるアナモレンズの構成を示す図である。同図（ｃ）は、従来の非点収差法に基づくフォーカス調整方法に用いるアナモレンズの構成を示す図である。
【００１７】
同図（ｃ）を参照して、従来手法に用いるアナモレンズは、レンズ光軸に平行に入射するレーザ光に対し、曲面方向と平面方向に収束作用を付与する。ここで、曲面方向と平面方向は、互いに直交している。また、曲面方向は、平面方向に比べ曲率半径が小さく、アナモレンズに入射するレーザ光を収束させる効果が大きい。なお、ここでは、アナモレンズにおける非点収差作用を簡単に説明するために、便宜上、“曲面方向”と“平面方向”と表現しているが、実際には、互いに異なる位置に焦線を結ぶ作用がアナモレンズによって生じれば良く、図１（ｃ）中の“平面方向”におけるアナモレンズの形状を平面に限定するものではない。なお、アナモレンズに収束状態でレーザ光が入射する場合は、“平面方向”におけるアナモレンズの形状は直線状（曲率半径＝∞）となり得る。
【００１８】
本原理に用いるアナモレンズは、以下のとおり、同図（ｃ）のアナモレンズに比べ構成が変更されている。すなわち、同図（ｃ）に示すアナモレンズが、平面方向と曲面方向に平行な２つの直線によって、４つの領域Ａ〜Ｄに４分割される。これら４つの領域Ａ〜Ｄのうち、領域Ａ、Ｄのレンズ曲面が、同図（ｂ）に示すように、曲面方向と平面方向が入れ替わった形状となるように調整される。領域Ｂ、Ｃのレンズ形状は、同図（ｃ）のアナモレンズの領域Ｂ、Ｃと同様である。
【００１９】
なお、本原理に用いるアナモレンズは、同図（ｂ）の他、たとえば、図１１（ａ）および図１４（ａ）に示すような他の構成をとることもできる。なお、図１１（ａ）および図１４（ａ）に示すアナモレンズについては、追って詳述する。
【００２０】
同図（ａ）を参照して、アナモレンズによって収束させられた信号光は、曲面方向および平面方向の収束により、それぞれ異なる位置で焦線を結ぶ。曲面方向の収束による焦線位置（Ｓ１）は、平面方向の収束による焦線位置（Ｓ２）よりも、アナモレンズに近い位置となり、後述する信号光の収束位置（Ｓ０）は、曲面方向および平面方向による焦線位置（Ｓ１）、（Ｓ２）の中間位置となる。
【００２１】
アナモレンズによって収束させられた迷光１についても同様に、曲面方向の収束による焦線位置（Ｍ１１）は、平面方向の収束による焦線位置（Ｍ１２）よりも、アナモレンズに近い位置となる。アナモレンズは、迷光１の平面方向の収束による焦線位置（Ｍ１２）が、信号光の曲面方向の収束による焦線位置（Ｓ１）よりも、アナモレンズに近い位置となるよう、設計されている。
【００２２】
アナモレンズによって収束させられた迷光２についても同様に、曲面方向の収束による焦線位置（Ｍ２１）は、平面方向の収束による焦線位置（Ｍ２２）よりも、アナモレンズに近い位置となる。アナモレンズは、迷光２の曲面方向の収束による焦線位置（Ｍ２１）は、信号光の平面方向の収束による焦線位置（Ｓ２）よりも、アナモレンズから遠い位置となるよう、設計されている。
【００２３】
また、焦線位置（Ｓ１）と焦線位置（Ｓ２）の間の収束位置（Ｓ０）において、信号光のビームが最小錯乱円となる。
【００２４】
図２は、レーザの光軸に垂直な各観察面における信号光の分布状態を示す図である。各図に付記された“領域Ａ”〜“領域Ｄ”は、図１（ｂ）に示すアナモレンズの領域Ａ〜Ｄに入射する信号光の光束領域を示している。また、図中、“曲”および“平”は、それぞれ、上記アナモレンズの領域Ａ〜領域Ｄにおける“曲面方向”と“平面方向”を表している。
【００２５】
図２（ａ）、（ｃ）、（ｅ）、（ｇ）は、それぞれ、観察面が、図１（ａ）において、アナモレンズの位置、焦線位置（Ｓ１）、収束位置（Ｓ０）および焦線位置（Ｓ２）にあるときの信号光の分布状態を示す図である。また、図２（ｂ）、（ｄ）、（ｆ）は、それぞれ、観察面が、図１（ａ）において、アナモレンズと焦線位置（Ｓ１）の間、焦線位置（Ｓ１）と収束位置（Ｓ０）の間、および、収束位置（Ｓ０）と焦線位置（Ｓ２）の間にあるときの信号光の分布状態を示す図であり、図２（ｈ）は、観察面が焦線位置（Ｓ２）よりもアナモレンズから離れた位置にあるときの信号光の分布状態を示す図である。
【００２６】
図２（ａ）に示す各光束領域の光は、上記アナモレンズの各領域のレンズ部分によって、曲面方向と平面方向に収束作用を受ける。上記の如く、曲面方向の収束作用は平面方向に比べ大きくなっているため、この収束作用の差によって、各光束領域の光の形状は、光の進行に伴って、図２（ｂ）〜（ｈ）に示すように変化する。
【００２７】
同図（ｃ）、（ｇ）に示すように、焦線位置（Ｓ１）、（Ｓ２）において、各光束領域の光は直線状（焦線）になる。また、同図（ｅ）に示すように、信号光は、収束位置（Ｓ０）において、円形（最小錯乱円）になる。さらに、同図（ｄ）に示すように、各光束領域の光は、焦線位置（Ｓ１）を過ぎると、全光束を４分割する直線を跨いだ隣の領域に入るようになる。また、各光束領域の光は、焦線位置（Ｓ２）を過ぎると、進行に伴って光束領域が広がるようになる。
【００２８】
なお、図２では、信号光の分布状態のみ示したが、迷光１、２についても、観察面と、曲面方向および平面方向の収束による焦線位置との位置関係により、同様に分布状態が変化する。
【００２９】
次に、以上を考慮して、面Ｓ０上における信号光および迷光１、２の照射領域との関係について検討する。
【００３０】
図３（ａ）に示すように、アナモレンズは、４つの領域Ａ〜Ｄに区分されている。ディスクからの反射光（信号光、迷光１、２）の形状は、アナモレンズによる収束作用によって、上記図２を参照して説明したように変化する。上記の如く、光束領域Ａ〜Ｄの信号光は、面Ｓ０上において、同図（ｂ）のように分布する。また、迷光１は、面Ｓ０に照射される際、図２（ｈ）の状態にあるため、光束領域Ａ〜Ｄの迷光１は、面Ｓ０上において、図３（ｃ）のように分布する。迷光２は、面Ｓ０に照射される際、図２（ｂ）の状態にあるため、光束領域Ａ〜Ｄの迷光１は、面Ｓ０上において、図３（ｄ）のように分布する。
【００３１】
ここで、面Ｓ０上における信号光と迷光１、２を光束領域毎に取り出すと、各光の分布は、図４（ａ）ないし（ｄ）のようになる。この場合、各光束領域の信号光には、同じ光束領域の迷光１および迷光２の何れも重ならない。このため、各光束領域内の光束（信号光、迷光１、２）を異なる方向に離散させた後に、信号光のみをセンサパターンにて受光するように構成すると、対応するセンサパターンには信号光のみが入射し、迷光の入射を抑止することができる。これにより、迷光による検出信号の劣化を回避することができる。
【００３２】
このように、領域Ａ〜Ｄを通る光を分散させて面Ｓ０上において離間させることにより、信号光のみを取り出すことができる。本実施の形態は、この原理を基盤とするものである。
【００３３】
図５は、図３（ａ）に示す４つの領域Ａ〜Ｄを通る光束（信号光、迷光１、２）の進行方向を、それぞれ、異なる方向に、同じ角度だけ変化させたときの、面Ｓ０上における信号光と迷光１、２の分布状態を示す図である。同図（ａ）は、アナモレンズの光軸方向（アナモレンズ入射時のレーザ光の進行方向）からアナモレンズを見た図、同図（ｂ）は、面Ｓ０における信号光、迷光１、２の分布状態を示す図である。
【００３４】
同図（ａ）では、領域Ａ〜Ｄを通った光束（信号光、迷光１、２）の進行方向が、入射前の各光束の進行方向に対して、それぞれ、方向Ｄａ、Ｄｂ、Ｄｃ、Ｄｄに、同じ角度量α（図示せず）だけ変化されている。なお、方向Ｄａ、Ｄｂ、Ｄｃ、Ｄｄは、領域Ａ、Ｂ、Ｃ、Ｄの境界線に対して、それぞれ、４５°の傾きを持っている。
【００３５】
この場合、方向Ｄａ、Ｄｂ、Ｄｃ、Ｄｄにおける角度量αを調節することにより、面Ｓ０上において、同図（ｂ）に示すように各光束領域の信号光と迷光１、２を分布させることができる。その結果、図示の如く、信号光のみが存在する信号光領域を面Ｓ０上に設定することができる。この信号光領域に光検出器のセンサパターンを設定することにより、各領域の信号光のみを、対応するセンサパターンにて受光することができる。
【００３６】
図６は、センサパターンの配置方法を説明する図である。同図（ａ）は、ディスクからの反射光（信号光）の光束領域を示す図であり、同図（ｂ）は、図１（ａ）の構成において、アナモレンズの配置位置と面Ｓ０に、それぞれ、従来の非点収差法に基づくアナモレンズと光検出器（４分割センサ）を配置したときの、光検出器上における信号光の分布状態を示す図である。図６（ｃ）および（ｄ）は、面Ｓ０上における、上述の原理に基づく信号光の分布状態とセンサパターンを示す図である。
【００３７】
各図において、トラック溝による信号光の回折の像（トラック像）の方向は、平面方向および曲面方向に対して４５°の傾きを持っている。同図（ａ）において、トラック像の方向が左右方向であるとすると、同図（ｂ）ないし（ｄ）では、信号光におけるトラック像の方向は、上下方向となる。なお、同図（ａ）および（ｂ）には、説明の便宜上、光束が８つの光束領域ａ〜ｈに区分されている。また、トラック像が実線で示され、オフフォーカス時のビーム形状が点線によって示されている。なお、トラック溝による信号光の０次回折像と一次回折像の重なり状態は、波長／（トラックピッチ×対物レンズＮＡ）で求められることが知られており、同図（ａ）、（ｂ）、（ｄ）のように、４つの光束領域ａ、ｄ、ｅ、ｈに一次回折像が収まる条件は、波長／（トラックピッチ×対物レンズＮＡ）＞√２となる。
【００３８】
従来の非点収差法では、光検出器のセンサパターンＰ１〜Ｐ４（４分割センサ）が同図（ｂ）のように設定される。この場合、光束領域ａ〜ｈの光強度に基づく検出信号成分をＡ〜Ｈで表すと、フォーカスエラー信号ＦＥとプッシュプル信号ＰＰは、
ＦＥ＝（Ａ＋Ｂ＋Ｅ＋Ｆ）−（Ｃ＋Ｄ＋Ｇ＋Ｈ）    …（１）
ＰＰ＝（Ａ＋Ｂ＋Ｇ＋Ｈ）−（Ｃ＋Ｄ＋Ｅ＋Ｆ）    …（２）
の演算により求まる。
【００３９】
これに対し、上記図５（ｂ）の分布状態では、上述の如く、信号光領域内に、図６（ｃ）の状態で信号光が分布している。この場合、同図（ａ）に示す光束領域ａ〜ｈを通る信号光は、同図（ｄ）のようになる。すなわち、同図（ａ）の光束領域ａ〜ｈを通る信号光は、光検出器のセンサパターンが置かれる面Ｓ０上では、同図（ｄ）に示す光束領域ａ〜ｈへと導かれる。
【００４０】
したがって、同図（ｄ）に示す光束領域ａ〜ｈの位置に、同図（ｄ）に重ねて示す如くセンサパターンＰ１１〜Ｐ１８を設定すれば、同図（ｂ）の場合と同様の演算処理によって、フォーカスエラー信号とプッシュプル信号を生成することができる。すなわち、この場合も、光束領域ａ〜ｈの光束を受光するセンサパターンからの検出信号をＡ〜Ｈで表すと、同図（ｂ）の場合と同様、フォーカスエラー信号ＦＥとプッシュプル信号ＰＰは、上記式（１）、（２）の演算により取得することができる。
【００４１】
以上のように、本原理によれば、従来の非点収差法に基づく場合と同様の演算処理にて、迷光の影響が抑制されたフォーカスエラー信号とプッシュプル信号（トラッキングエラー信号）を生成することができる。
【００４２】
なお、本原理に用いるアナモレンズは、既に述べたように、たとえば、図１１（ａ）および図１４（ａ）に示すような構成とすることもできる。すなわち、本原理に適用可能なアナモレンズは、レーザ光の光軸周りに区分された複数のレンズ領域を備えており、各レンズ領域が個別にレーザ光に非点収差を導入するものである。そして、各レンズ領域は、レーザ光の光軸周りに隣り合う他の２つのレンズ領域との間の２つの境界のうち、一方の境界に平行な方向（たとえば、図１（ｂ）、図１１（ａ）、図１４（ａ）の平面方向）に光束を収束させて第１の焦点距離の位置に焦線を結ばせるとともに、この境界に垂直な方向に光束を収束させて第１の焦点距離とは異なる第２の焦点距離の位置に焦線を結ばせるよう構成される。
【００４３】
なお、アナモレンズは、４つ以上のレンズ領域を有するのが望ましく、且つ、光軸周りの各レンズ領域の角度が９０度以下になっているのが望ましい。こうすると、たとえば、上記図５（ｂ）に示すように、迷光が信号光領域に掛からないようにすることができる。
【００４４】
＜実施例＞
以下、上記原理に基づく実施例について説明する。
【００４５】
図７に、本実施例に係る光ピックアップ装置の光学系を示す。なお、同図には、便宜上、関連する回路構成が併せて図示されている。また、同図中のディスクには、複数の記録層が積層して配置されている。
【００４６】
図示の如く、光ピックアップ装置の光学系は、半導体レーザ１０１と、偏光ビームスプリッタ１０２と、コリメートレンズ１０３と、レンズアクチュエータ１０４と、立ち上げミラー１０５と、１／４波長板１０６と、アパーチャ１０７と、対物レンズ１０８と、ホルダ１０９と、対物レンズアクチュエータ１１０と、アナモレンズ１１１と、光検出器１１２を備えている。
【００４７】
半導体レーザ１０１は、所定波長のレーザ光を出射する。半導体レーザ１０１から出射されるレーザ光の広がり角は、水平広がり角と垂直広がり角が異なっている。
【００４８】
偏光ビームスプリッタ１０２は、半導体レーザ１０１から入射されるレーザ光（Ｓ偏光）を略全反射するとともに、コリメートレンズ１０３側から入射されるレーザ光（Ｐ偏光）を略全透過する。コリメートレンズ１０３は、偏光ビームスプリッタ１０２側から入射されるレーザ光を平行光に変換する。
【００４９】
レンズアクチュエータ１０４は、サーボ回路２０３から入力されるサーボ信号に応じてコリメートレンズ１０３を光軸方向に変位させる。これにより、レーザ光に生じる収差が補正される。立ち上げミラー１０５は、コリメートレンズ１０３側から入射されたレーザ光を対物レンズ１０８に向かう方向に反射する。
【００５０】
１／４波長板１０６は、ディスクへと向かうレーザ光を円偏光に変換するとともに、ディスクからの反射光をディスクへ向かう際の偏光方向に直交する直線偏光に変換する。これにより、ディスクによって反射されたレーザ光は、偏光ビームスプリッタ１０２を透過する。
【００５１】
アパーチャ１０７は、対物レンズ１０８に対するレーザ光の有効径が適正となるように、レーザ光のビーム形状を円形形状に調整する。対物レンズ１０８は、レーザ光をディスク内のターゲット記録層に適正に収束できるよう設計されている。ホルダ１０９は、１／４波長板１０６と対物レンズ１０８を一体的に保持する。対物レンズアクチュエータ１１０は、従来周知の電磁駆動回路によって構成され、当該回路のうち、フォーカスコイル等のコイル部がホルダ１０９に装着されている。
【００５２】
アナモレンズ１１１は、ディスクからの反射光に非点収差を導入する。すなわち、アナモレンズ１１１は、曲面方向と平面方向が、図１（ｂ）を参照して述べた如く設定されている。また、アナモレンズ１１１は、偏光ビームスプリッタ１０２側から入射されたレーザ光の進行方向を、図５（ａ）を参照して述べた如く変化させる機能を備えている。これにより、アナモレンズ１１１は、入射されたレーザ光のうち、図５（ａ）の領域Ａ〜Ｄを通過する光束の進行方向を、同じ角度量αだけ変化させる。なお、角度量αは、面Ｓ０上における信号光と迷光１、２の分布状態が、図５（ｂ）の分布状態となるように設定されている。
【００５３】
光検出器１１２は、図６（ｄ）に示すセンサパターンＰ１１〜Ｐ１８を有する。光検出器１１２は、このセンサパターンが図１の面Ｓ０の位置に位置づけられるように配置される。光検出器１１２のセンサパターンＰ１１〜Ｐ１８は、各々、図６（ｄ）の光束領域ａ〜ｈを通る光束を受光する。
【００５４】
信号演算回路２０１は、光検出器１１２の８個のセンサパターンから出力された検出信号を、上記式（１）に従って演算処理し、フォーカスエラー信号を生成する。また、信号演算回路２０１は、これら８個のセンサパターンから出力された検出信号を加算して再生ＲＦ信号を生成する。さらに、信号演算回路２０１は、光検出器１１２の８個のセンサパターンから出力された検出信号を、上記式（２）に従って演算処理し、プッシュプル信号ＰＰ（トラッキングエラー信号）を生成する。生成されたフォーカスエラー信号とプッシュプル信号ＰＰはサーボ回路２０３に送られ、再生ＲＦ信号は再生回路２０２とサーボ回路２０３に送られる。
【００５５】
再生回路２０２は、信号演算回路２０１から入力された再生ＲＦ信号を復調して再生データを生成する。サーボ回路２０３は、信号演算回路２０１から入力されたプッシュプル信号ＰＰとフォーカスエラー信号からトラッキングサーボ信号とフォーカスサーボ信号を生成し、これらを対物レンズアクチュエータ１１０に出力する。また、サーボ回路２０３は、信号演算回路２０１から入力された再生ＲＦ信号の品質が最良になるよう、レンズアクチュータ１０４にサーボ信号を出力する。コントローラ２０４は、内蔵メモリに格納されたプログラムに従って各部を制御する。
【００５６】
なお、図７に示す信号演算回路２０１は、光ピックアップ装置側にあっても、光ディスク装置側にあっても良い。また、信号演算回路２０１を構成する回路部の一部が光ピックアップ装置側にあり、残りが光ディスク装置側にあってもよい。
【００５７】
図８は、アナモレンズ１１１の構成例を示す図である。同図（ａ）は、アナモレンズ１１１の斜視図を示す図であり、同図（ｂ）は、反射光の光軸方向であって偏光ビームスプリッタ１０２側から見た図である。
【００５８】
同図（ａ）を参照して、アナモレンズ１１１は、入射面側に、互いに異なる曲面形状からなるレンズ領域１１１ａ〜１１１ｄを有する。各レンズ領域１１１ａ〜１１１ｄは、それぞれ、光軸Ｍに沿って入射する光に非点収差を付与する機能と、光の進行方向を変化させる機能とを備えている。
【００５９】
非点収差機能について、各レンズ領域１１１ａ〜１１１ｄは、レーザ光の光軸周りに隣り合う他の２つのレンズ領域との間の２つの境界のうち、一方の境界Ｂａ１、Ｂｂ１、Ｂｃ１、Ｂｄ１に平行な方向（平面方向）に光束を収束させて図１（ａ）の焦線位置（Ｓ２）に焦線を結ばせるとともに、この境界Ｂａ１、Ｂｂ１、Ｂｃ１、Ｂｄ１に垂直な方向（曲面方向）に光束を収束させて焦線位置（Ｓ２）とは異なる焦線位置（Ｓ１）に焦線を結ばせるよう設計されている。また、各レンズ領域の平面方向に平行な境界Ｂａ１、Ｂｂ１、Ｂｃ１、Ｂｄ１は、隣り合うレンズ領域の境界Ｂａ２、Ｂｂ２、Ｂｃ２、Ｂｄ２と接しており、これら境界Ｂａ１、Ｂｂ１、Ｂｃ１、Ｂｄ１どうしが互いに接することのないよう設計されている。
【００６０】
また、進行方向変更機能について、各レンズ領域１１１ａ〜１１１ｄは、これらレンズ領域１１１ａ〜１１１ｄに入射するレーザ光の進行方向を、それぞれ、図８（ｂ）に示す如く、方向Ｖａ〜Ｖｄに変化させるよう設計されている。
【００６１】
これら非点収差機能と進行方向変更機能は、レーザ光がターゲット記録層に合焦された状態で、レンズ領域１１１ａ〜１１１ｄを通過したレーザ光（信号光、迷光１、２）が、光検出器１１２の受光面上において、図５（ｂ）に示すように分布するよう調整されている。これにより、レンズ領域１１１ａ〜１１１ｄに入射するレーザ光（信号光）が、光検出器１１２上のセンサパターンにおいて、適正に受光され得る。なお、各レンズ領域の境界は、トラック像の方向と４５度の角度をなしている。
【００６２】
以上、本実施例によれば、ディスク内に配された記録層のうちターゲット記録層から反射された信号光と、当該ターゲット記録層の深い側および浅い側の記録層から反射された迷光１、２とが、光検出器１１２の受光面（オンフォーカス時に信号光スポットが最小錯乱円になる面Ｓ０）上において、互いに重なり合わないようにすることができる。具体的には、受光面（面Ｓ０）上における信号光と迷光１、２の分布を、図５（ｂ）の状態にすることができる。したがって、図５（ｂ）の信号光領域に、図６（ｄ）に示すセンサパターンを配置することにより、センサパターンＰ１１〜Ｐ１８によって、対応する信号光のみを受光することができる。このため、迷光による検出信号の劣化を抑制することができる。
【００６３】
また、これらの効果を、ディスクによって反射されたレーザ光の光路中、すなわち、図７の構成では偏光ビームスプリッタ１０２と光検出器１１２の間に、従前のアナモレンズに替えて、図８に示すアナモレンズ１１１を配置するのみで達成することができる。したがって、本実施例によれば、簡素な構成にて効果的に迷光による影響を除去することができる。
【００６４】
また、本実施例によれば、アナモレンズ１１１が非点収差機能と進行方向変更機能の両方を有しているため、非点収差機能のみを有するアナモレンズと進行方向変更機能を有する他の光学素子を配する場合に比べ、構成の簡素化を図ることができる。
【００６５】
さらに、本実施例によれば、図６（ｃ）に示す如く、信号光領域が正方形となり、且つ、信号光が正方形の頂角の位置に照射されるため、センサパターンの配置領域をコンパクトなものにすることができ、且つ、センサパターンを容易に配置することができる。
【００６６】
なお、本実施例に係る光ピックアップ装置および光ディスク装置を、記録層を２層のみ有する光ディスクの記録または再生に用いる場合には、ターゲット記録層以外の記録層は１つしか存在しないため、迷光の分布は、図９のようになる。図９（ａ）および（ｂ）は、それぞれ、レーザ光が手前の記録層および奥の記録層に合焦されたときの分布状態を示す。
【００６７】
この場合、図示の如く、迷光は互いに重なり合うことがないため、迷光どうしが干渉し合うことはなく、干渉により増長された迷光が信号光領域に漏れ込んで検出信号が劣化するようなことも起こり得ない。このように、本実施例では、迷光の干渉による検出信号の劣化をも、効果的に抑制することができる。
【００６８】
なお、記録層が１つのみ存在する場合にも、これと同様の効果が奏され得る。すなわち、記録層が１つの場合、レーザ光の焦点位置が記録層からずれると、ディスクからの反射光が、図９に示す迷光の領域に掛かるようになる。しかし、この場合も、迷光の領域に掛かった反射光が互いに重なり合うことがないため、迷光の領域に掛かった反射光が互いに干渉し合うことはなく、よって、信号光領域内に配されたセンサパターンから高品質の信号を生成することができる。
【００６９】
なお、上記原理による迷光除去効果は、図１を参照して、迷光１の平面方向の焦線位置（Ｍ１２）が、面Ｓ０よりもアナモレンズ１１１に近い位置にあり、且つ、迷光２の曲面方向の焦線位置（Ｍ２１）が、面Ｓ０よりもアナモレンズ１１１から遠い位置にあるときに奏され得るものである。すなわち、この関係が満たされていれば、信号光と迷光１、２の分布は図５（ａ）に示す状態となり、面Ｓ０において、信号光と迷光１、２が重なり合わないようすることができる。換言すれば、この関係が満たされる限り、たとえ、信号光の曲面方向の焦線位置（Ｓ１）よりも、迷光１の平面方向の焦線位置（Ｍ１２）が面Ｓ０に接近し、あるいは、信号光の平面方向の焦線位置（Ｓ２）よりも、迷光２の曲面方向の焦線位置（Ｍ２１）が面Ｓ０に接近したとしても、上記原理に基づく本発明ないし実施例の効果は奏され得る。
【００７０】
＜光検出器とアナモレンズの位置調整方法＞
上記実施例では、図８（ａ）に示したレンズ領域１１１ａ〜１１１ｄを通る光束（信号光、迷光１、２）のうち信号光が光検出器１１２上に配された図６（ｄ）に示すセンサパターンＰ１１〜Ｐ１８上に適正に入射するよう、アナモレンズ１１１と光検出器１１２の位置調整を行う必要がある。この調整は、たとえば、以下の手法により行うことができる。
【００７１】
図１０は、アナモレンズ１１１と光検出器１１２の位置調整方法を示す図である。
【００７２】
アナモレンズ１１１は、レンズ領域１１１ａ〜１１１ｄが、それぞれ、アナモレンズ１１１の配置位置近傍におけるディスクからの反射光束を十分に含み得る広さとなっている。また、光検出器１１２には、従来の非点収差法に基づく光検出器１１２の位置調整が可能となるように、センサパターンＰ１４、Ｐ１６の上部に、センサパターンＰ１１’、Ｐ１２’、Ｐ１３’、Ｐ１５’、Ｐ１７’、Ｐ１８’が配されている。
【００７３】
アナモレンズ１１１と光検出器１１２の位置調整時には、始めに、図１０（ａ）に示すように、ディスクからの反射光束がレンズ領域１１１ｃに収まるよう、アナモレンズ１１１が粗調整され仮固定される。
【００７４】
レンズ領域１１１ｃに入射したディスクからの反射光束は、アナモレンズ１１１によって分光されずに、レンズ領域１１１ｃにより非点収差を導入され、且つ、進行方向が変化される。したがって、レンズ領域１１１ｃを透過した反射光束は、光検出器１１２の受光面上において、オンフォーカス時には円形となり、オフフォーカス時には楕円形となるような、非点収差に基づく光スポットを形作る。
【００７５】
次に、この光スポットが、図１０（ｂ）に示す如く光検出器１１２にて適正に検出されるよう、センサパターンＰ１４、Ｐ１６、Ｐ１１’、Ｐ１２’、Ｐ１３’、Ｐ１５’、Ｐ１７’、Ｐ１８’からの出力信号を用いて、従来の非点収差法に基づく調整方法により光検出器１１２の位置調整が行われ、光検出器１１２が適正位置に固定される。この場合、分割線Ｌ１、Ｌ２にて分割された４つのセンサ領域の検出信号をもとに光検出器１１２の位置調整が行われる。これにより、光束の重心を光検出器１１２の目標位置に合わせることができる。
【００７６】
こうして光検出器１１２が位置決めされた後、仮固定されたアナモレンズ１１１の位置調整が行われる。図１０（ｃ）、（ｄ）を参照して、アナモレンズ１１１を光軸に垂直な面内に移動させ、光検出器１１２のセンサパターンＰ１１〜Ｐ１８にて検出される信号が各々等しくなる位置にアナンモレンズ１１１を固定する。これにより、アナモレンズ１１１の分割線のクロス点と反射光束の重心を精度良く合わせることができる。以上により、アナモレンズ１１１と光検出器１１２のどちらも適正位置に固定することができる。
【００７７】
＜変更例１＞
上記実施例では、図５（ａ）に示す非点収差作用および進行方向変更作用により、信号光と迷光１、２の光束が、面Ｓ０上において図５（ｂ）のような分布状態とされ、かかる光束が、図６（ｄ）に示すセンサパターンによって受光された。本変更例では、図５（ａ）と異なる非点収差作用および進行方向変更作用により、信号光と迷光１、２の光束が、面Ｓ０上において、互いに重ならないようにされる。
【００７８】
図１１（ａ）は、本変更例に係るアナモレンズの構成を示す図である。本変更例に係るアナモレンズは、光軸周りに６つの領域に区分されている。領域Ａ、Ｄは、周方向の角度が９０度であり、領域Ｂ、Ｃ、Ｅ、Ｆは、周方向の角度が４５度である。各領域は、上記実施例と同様、それぞれ、非点収差機能と進行方向変更機能を有している。
【００７９】
非点収差機能について、領域Ａ〜Ｆは、それぞれ、レーザ光の光軸周りに隣り合う他の２つの領域との間の２つの境界のうち、一方の境界に平行な方向（平面方向）に光束を収束させて図１（ａ）の焦線位置（Ｓ２）に焦線を結ばせるとともに、この境界に垂直な方向に光束を収束させて焦線位置（Ｓ２）とは異なる焦線位置（Ｓ１）に焦線を結ばせるよう設計されている。
【００８０】
また、進行方向変更機能について、領域Ａ〜Ｆは、これら領域Ａ〜Ｆに入射するレーザ光の進行方向を、それぞれ、図１１（ａ）に示す方向Ｄａ〜Ｄｆに変化させるよう設計されている。なお、方向Ｄａ、Ｄｄは、それぞれ、同図のＺ軸正方向およびＺ軸負方向であり、方向Ｄｂ、Ｄｃ、Ｄｅ、Ｄｆは、それぞれ、Ｙ軸に対し６７．５度、Ｚ軸に対し２２．５度の傾きを有する方向である。
【００８１】
これら非点収差機能と進行方向変更機能は、レーザ光がターゲット記録層に合焦された状態で、領域Ａ〜Ｆを通過したレーザ光（信号光、迷光１、２）が、図７に示す光検出器１１２の受光面上において、図１１（ｂ）に示すように分布するよう調整されている。これにより、上記実施例と同様、信号光のみが存在する信号光領域を生成することができ、この信号光領域にセンサパターンを配することで、信号光のみを対応するセンサパターンにて受光することができる。
【００８２】
図１２は、この場合のセンサパターンの配置方法を説明する図である。同図（ａ）は、ディスクからの反射光（信号光）のうち、図１１（ａ）のアナモレンズの領域Ａ〜Ｆに入射する光束領域ａ〜ｆを示す図であり、同図（ｂ）は、本変更例に基づくセンサパターンを示す図である。
【００８３】
同図（ｂ）を参照して、光束領域ａ〜ｆの光束（信号光）は、それぞれ、２つのセンサパターンによって受光される。同図（ｂ）において、ａ１とａ２、ｂ１とｂ２、ｃ１とｃ２、ｄ１とｄ２、ｅ１とｅ２、ｆ１とｆ２は、それぞれ、光束領域ａ〜ｆの光束をさらに２分割した光束である。図示の如く、光束ａ１〜ｆ２は、それぞれ、対応するセンサパターンＰ２１〜Ｐ３２により受光される。すなわち、センサパターンＰ２１およびＰ２２、Ｐ２３およびＰ２４、Ｐ２５およびＰ２６、Ｐ２７およびＰ２８、Ｐ２９およびＰ３０、Ｐ３１およびＰ３２は、信号光がターゲット記録層で合焦となる時に、それぞれ、光束領域ａ〜ｆの光束の半分を受光するよう設定されている。
【００８４】
ここで、センサパターンＰ２１〜Ｐ３２の受光量に基づく検出信号を、それぞれ、Ａ１、Ａ２、Ｂ１、Ｂ２、Ｃ１、Ｃ２、Ｄ１、Ｄ２、Ｅ１、Ｅ２、Ｆ１、Ｆ２とすると、プッシュプル信号ＰＰは、
ＰＰ＝（Ａ１＋Ａ２＋Ｂ１＋Ｂ２＋Ｆ１＋Ｆ２）
−（Ｄ１＋Ｄ２＋Ｃ１＋Ｃ２＋Ｅ１＋Ｅ２）
の演算により求められる。
【００８５】
図１３は、各センサパターンの検出信号およびフォーカスエラー信号を示す図である。同図（ａ）ないし（ｃ）において、縦軸はセンサパターンによる検出信号または演算結果を表し、横軸は対物レンズとディスクとの距離を表す。なお、横軸原点は、信号光がターゲット記録層で合焦となるときの対物レンズの位置（以下、「合焦位置」という）を表している。
【００８６】
同図（ａ）を参照して、ｓ１は検出信号Ａ１およびＤ１を表し、ｓ２は検出信号Ａ２およびＤ２を表している。このとき、（ｓ１−ｓ２）を表すｓ３は、図示の如く、合焦位置において０となる。
【００８７】
同図（ｂ）を参照して、ｓ４は検出信号Ｂ１、Ｃ１、Ｅ１、Ｆ１を表し、ｓ５は検出信号Ｂ２、Ｃ２、Ｅ２、Ｆ２を表している。このとき、（ｓ４−ｓ５）を表すｓ６は、図示の如く、合焦位置において０となる。
【００８８】
従って、Ａ１ないしＦ２を用いてフォーカスエラー信号ＦＥは、
ＦＥ＝｛（Ａ１−Ａ２）＋（Ｄ１−Ｄ２）｝＋｛（Ｂ１−Ｂ２）＋（Ｃ１−Ｃ２）
＋（Ｅ１−Ｅ２）＋（Ｆ１−Ｆ２）｝
と表すことができる。
【００８９】
同図（ｃ）は、フォーカスエラー信号ＦＥを表す図である。図示の如く、フォーカスエラー信号ＦＥは、Ｓ字カーブを有し、合焦位置において０となる。よって、フォーカスエラー信号ＦＥが０となるよう、対物レンズが光軸に垂直な方向に駆動されれば、信号光の焦点位置が、ターゲット記録層上に合わせられ得る。
【００９０】
よって、本変更例においても、図１１（ａ）に示すアナモレンズにより信号光領域を生成することができ、この信号光領域に、図１２（ｂ）に示すセンサパターンを有する光検出器を配することによって、迷光による影響が抑制された高品質の検出信号を得ることができる。
【００９１】
＜変更例２＞
本変更例は、図１１（ａ）と異なるアナモレンズを用いて、信号光と迷光１、２の光束が重ならないようにするものである。
【００９２】
図１４（ａ）は、本変更例に係るアナモレンズの構成を示す図である。本変更例に係るアナモレンズは、光軸周りに８つの領域に区分されている。各領域は、周方向の角度が４５度となっており、上記実施例と同様、それぞれ、非点収差機能と進行方向変更機能を有している。
【００９３】
非点収差機能について、領域Ａ〜Ｈは、それぞれ、レーザ光の光軸周りに隣り合う他の２つの領域との間の２つの境界のうち、一方の境界に平行な方向（平面方向）に光束を収束させて図１（ａ）の焦線位置（Ｓ２）に焦線を結ばせるとともに、この境界に垂直な方向に光束を収束させて焦線位置（Ｓ２）とは異なる焦線位置（Ｓ１）に焦線を結ばせるよう設計されている。
【００９４】
また、進行方向変更機能について、領域Ａ〜Ｈは、これら領域Ａ〜Ｈに入射するレーザ光の進行方向を、それぞれ、図１４（ａ）に示す方向Ｄａ〜Ｄｈに変化させるよう設計されている。なお、方向Ｄａ〜Ｄｈは、それぞれ各領域の平面方向に対し、６７．５度の角度をなしている。
【００９５】
これら非点収差機能と進行方向変更機能は、レーザ光がターゲット記録層に合焦された状態で、領域Ａ〜Ｈを通過したレーザ光（信号光、迷光１、２）が、図７に示す光検出器１１２の受光面上において、図１４（ｂ）に示すように分布するよう調整されている。これにより、上記実施例と同様、信号光のみが存在する信号光領域を生成することができ、この信号光領域にセンサパターンを配することで、信号光のみを対応するセンサパターンにて受光することができる。
【００９６】
図１５は、この場合のセンサパターンの配置方法を説明する図である。同図（ａ）は、ディスクからの反射光（信号光）のうち、図１４（ａ）のアナモレンズの領域Ａ〜Ｈに入射する光束領域ａ〜ｈを示す図であり、同図（ｂ）は、本変更例に基づくセンサパターンを示す図である。
【００９７】
同図（ｂ）を参照して、光束領域ａ〜ｈの光束（信号光）は、それぞれ、２つのセンサパターンによって受光される。同図（ｂ）において、ａ１とａ２、ｂ１とｂ２、ｃ１とｃ２、ｄ１とｄ２、ｅ１とｅ２、ｆ１とｆ２、ｇ１とｇ２、ｈ１とｈ２は、それぞれ、光束領域ａ〜ｈの光束をさらに２分割した光束である。図示の如く、光束ａ１〜ｈ２は、それぞれ、対応するセンサパターンＰ４１〜Ｐ５６により受光される。すなわち、センサパターンＰ４１およびＰ４２、Ｐ４３およびＰ４４、Ｐ４５およびＰ４６、Ｐ４７およびＰ４８、Ｐ４９およびＰ５０、Ｐ５１およびＰ５２、Ｐ５３およびＰ５４、Ｐ５５およびＰ５６は、信号光がターゲット記録層で合焦となる時に、それぞれ、光束領域ａ〜ｈの光束の半分を受光するよう設定されている。
【００９８】
ここで、センサパターンＰ４１〜Ｐ５６の受光量に基づく検出信号を、それぞれ、Ａ１、Ａ２、Ｂ１、Ｂ２、Ｃ１、Ｃ２、Ｄ１、Ｄ２、Ｅ１、Ｅ２、Ｆ１、Ｆ２、Ｇ１、Ｇ２、Ｈ１、Ｈ２とすると、プッシュプル信号ＰＰは、
ＰＰ＝（Ａ１＋Ａ２＋Ｂ１＋Ｂ２＋Ｇ１＋Ｇ２＋Ｈ１＋Ｈ２）
−（Ｄ１＋Ｄ２＋Ｅ１＋Ｅ２＋Ｃ１＋Ｃ２＋Ｆ１＋Ｆ２）
の演算により求められる。
【００９９】
図１６は、各センサパターンの検出信号およびフォーカスエラー信号を示す。
【０１００】
同図（ａ）を参照して、ｓ７は検出信号Ａ１、Ｂ１、Ｃ１、Ｄ１、Ｅ１、Ｆ１、Ｇ１、Ｈ１を表し、ｓ８は検出信号Ａ２、Ｂ２、Ｃ２、Ｄ２、Ｅ２、Ｆ２、Ｇ２、Ｈ２を表している。このとき、（ｓ７−ｓ８）を表すｓ９は、図示の如く、合焦位置において０となる。
【０１０１】
従って、Ａ１ないしＨ２を用いてフォーカスエラー信号ＦＥは、
ＦＥ＝（Ａ１−Ａ２）＋（Ｂ１−Ｂ２）＋（Ｃ１−Ｃ２）＋（Ｄ１−Ｄ２）
＋（Ｅ１−Ｅ２）＋（Ｆ１−Ｆ２）＋（Ｇ１−Ｇ２）＋（Ｈ１−Ｈ２）
と表すことができる。
【０１０２】
同図（ｂ）は、フォーカスエラー信号ＦＥを表す図である。図示の如く、フォーカスエラー信号ＦＥは、Ｓ字カーブを有し、合焦位置において０となる。よって、フォーカスエラー信号ＦＥが０となるよう対物レンズが駆動されれば、信号光の焦点位置が、ターゲット記録層上に合わせられ得る。
【０１０３】
よって、本変更例においても、図１４（ａ）に示すアナモレンズにより信号光領域を生成することができ、この信号光領域に、図１５（ｂ）に示すセンサパターンを有する光検出器を配することによって、迷光による影響が抑制された高品質の検出信号を得ることができる。
【０１０４】
＜他の変更例＞
以上、本発明の実施例および変更例１、２について説明したが、本発明は、上記実施例に制限されるものではなく、また、本発明の実施形態も上記以外に種々の変更が可能である。
【０１０５】
たとえば、上記実施例では、アナモレンズ１１１に、図１（ａ）に示す非点収差機能と図５（ａ）に示す進行方向変更機能の両方を持たせるようにしたが、アナモレンズ１１１に非点収差機能のみを持たせ、進行方向変更機能は別の光学素子によって導入するようにしても良い。さらには、両機能をホログラム素子によって導入するようにしても良い。この場合、ホログラム素子は、アナモレンズ１１１と置き換えれば良い。なお、ホログラムパターンは既知の技術で設計される。
【０１０６】
図１７は、進行方向変更作用を導入する方向変更素子１２０を示す図である。同図（ａ）は、回折パターンを有するホログラム素子によって方向変更素子１２０を構成する場合の構成例を示し、同図（ｂ）および（ｃ）は、多面プリズムによって方向変更素子１２０を構成する場合の構成例を示している。
【０１０７】
同図（ａ）の構成例の場合、方向変更素子１２０は、正方形形状の透明板にて形成され、光入射面にホログラムパターンが形成されている。光入射面は、図示の如く、４つのホログラム領域１２０ａ〜１２０ｄに区分されている。また、ホログラム領域１２０ａ〜１２０ｄは、入射されたレーザ光（信号光、迷光１、２）を、それぞれ、図５（ａ）と同様、方向Ｖａ〜Ｖｄに回折させる。こうすると、アナモレンズおよび方向変更素子１２０により、上記実施例におけるアナモレンズ１１１と同様の効果が奏され得る。なお、ホログラム領域１２０ａ〜１２０ｄに形成されるホログラムは、ステップ型でもブレーズ型でも良い。
【０１０８】
また、図１７（ａ）の構成に替えて、同図（ｂ）の構成とすることもできる。この場合、方向変更素子１２０は、光出射面が平坦で、且つ、光入射面が４つの領域において異なる方向に個別に傾斜する透明体によって形成されている。
【０１０９】
同図（ｃ）は、同図（ｂ）を光入射面側から見た図である。図示の如く、方向変更素子１２０の光入射面には、４つの傾斜面１２０ｅ〜１２０ｈが形成されている。これら傾斜面に入射面側から光線がＸ軸に平行に入射すると、傾斜面１２０ｅ〜１２０ｈに入射する際の屈折作用によって、光の進行方向が、それぞれ、同図（ｃ）のＶａ〜Ｖｄの方向に変化する。この場合も、アナモレンズおよび方向変更素子１２０により、上記実施例におけるアナモレンズ１１１と同様の効果が奏され得る。
【０１１０】
なお、非点収差作用によって生じる焦線位置が、図１に示す位置関係となる場合、方向変更素子１２０は、迷光１の曲面方向の焦線位置（Ｍ１１）よりもディスクに近い位置に配される。この場合、面Ｓ０（光検出器１１２の受光面）上における迷光１、２の分布状態は、上記原理および実施例で述べた如く、それぞれ、図９（ａ）、（ｂ）のようになる。
【０１１１】
あるいは、図１に示す焦線位置（Ｍ１２）と焦線位置（Ｓ１）との間に、方向変更素子１２０を配することもできる。この場合、面Ｓ０（光検出器１１２の受光面）上における迷光２の分布状態は、上記と同様、図９（ｂ）のようになるが、迷光１の分布状態も、迷光２と同じく、図９（ｂ）のようになる。なお、方向変更素子は光検出器に近いため、両者を一体化することも可能である。
【０１１２】
また、上記変更例１、２においても、アナモレンズ１１１に非点収差機能のみを持たせ、進行方向変更機能は別の光学素子によって導入するようにしても良い。この場合、進行方向変更作用を導入するための光学素子は、図１７と同等、ホログラム素子または光屈折素子によって構成され得る。
【０１１３】
また、上記実施例および変更例１、２において、隣接する光束領域の光の偏光方向を互いに直交させるための偏光変換素子が用いられても良い。この場合、偏光変換素子は、進行方向変更機能を有する光学素子よりもディスク側に近い位置に配される。すなわち、偏光変換素子は、上記実施例におけるアナモレンズ１１１および上記他の変更例における方向変更素子１２０よりもディスクに近い位置に配される。
【０１１４】
こうすると、光検出器上で迷光１、２の光束領域が重なり合う部分においても、偏光方向が互いに直交するよう設定され得るため、これら重なり合う部分の迷光の干渉が抑制される。これにより、迷光が干渉し合うことによる迷光成分の増幅が抑制され、結果、迷光がセンサパターンに漏れ込むことを抑制することができる。
【０１１５】
この他、本発明の実施の形態は、特許請求の範囲に示された技術的思想の範囲内において、適宜、種々の変更が可能である。
【符号の説明】
【０１１６】
１０１  半導体レーザ（光源）
１０８  対物レンズ
１１１  アナモレンズ（非点収差部、光束離散部）
１１２  光検出器
１２０  方向変更素子（光束離散部）
２０１  信号演算回路（演算回路）
【図１】
2010272145.tif 000003
【図２】
2010272145.tif 000004
【図３】
2010272145.tif 000005
【図４】
2010272145.tif 000006
【図５】
2010272145.tif 000007
【図６】
2010272145.tif 000008
【図７】
2010272145.tif 000009
【図８】
2010272145.tif 000010
【図９】
2010272145.tif 000011
【図１０】
2010272145.tif 000012
【図１１】
2010272145.tif 000013
【図１２】
2010272145.tif 000014
【図１３】
2010272145.tif 000015
【図１４】
2010272145.tif 000016
【図１５】
2010272145.tif 000017
【図１６】
2010272145.tif 000018
【図１７】
2010272145.tif 000019